(57)【要約】【課題】外部環境の多様な光の状態に応じて自動的にスクリーンの輝度が調節されるようにすることで、ユーザーの視覚に安定的、かつ視認性に優れ、電力消耗が低減するようにした有機ＥＬディスプレイの駆動装置及び駆動方法を提供すること。【解決手段】外部環境の光の照度を感知して、その感知された光を電気信号に変換する光電変換部1と、光電変換部の電気信号をアナログ信号からデジタル信号に変換するＡ／Ｄ変換部2と、デジタル信号に変換された電気信号値を、既に設定された基準値と比較する比較部3と、比較結果に従って駆動部及び電源部の少なくとも何れか一方を制御する制御部4と、制御部の制御信号に従ってディスプレイパネルに印加する電流の量を調節する駆動部5と、制御部の制御信号に従って駆動部及びディスプレイパネル7に印加する電圧の強さを調節する電源部6とを含む。【選択図】  図１
2004226977.tif 000002
【特許請求の範囲】
【請求項１】
ディスプレイパネルを駆動するための駆動部及び電源部を有する有機ＥＬディスプレイの駆動装置であって、
外部環境の光の照度を感知して、その感知された光を電気信号に変換する光電変換部と、
前記光電変換部の電気信号をアナログ信号からデジタル信号に変換するＡ／Ｄ変換部と、
前記デジタル信号に変換された電気信号値を、既に設定された基準値と比較する比較部と、
前記比較結果に従って前記駆動部及び電源部の少なくとも何れか一方を制御する制御部と、
前記制御部の制御信号に従って前記ディスプレイパネルに印加する電流の量を調節する駆動部と、
前記制御部の制御信号に従って前記駆動部及びディスプレイパネルに印加する電圧の強さを調節する電源部と、
を含んでいることを特徴とする有機ＥＬディスプレイの駆動装置。
【請求項２】
前記光電変換部は、光電管、フォトダイオード、フォトトランジスター、光伝導素子のうち何れかであることを特徴とする請求項１記載の有機ＥＬディスプレイの駆動装置。
【請求項３】
前記比較部で比較される基準値は、多様な電流値と電圧値を有する多数の基準値のうち何れかであることを特徴とする請求項１記載の有機ＥＬディスプレイの駆動装置。
【請求項４】
前記制御部は、前記電気信号値が前記基準値より高ければ、前記ディスプレイパネルに印加される電流の量が増加するように前記駆動部を制御し、前記電気信号値が前記基準値より低ければ、前記ディスプレイパネルに印加される電流の量が減少するように前記駆動部を制御することを特徴とする請求項１記載の有機ＥＬディスプレイの駆動装置。
【請求項５】
前記ディスプレイパネルは、能動駆動型であることを特徴とする請求項４記載の有機ＥＬディスプレイの駆動装置。
【請求項６】
前記制御部は、前記電気信号値が前記基準値より高ければ、前記ディスプレイパネルに印加される電流の量が増加するように前記駆動部を制御し、かつ前記駆動部及びディスプレイパネルに印加される電圧の強さが増加するように前記電源部を制御し、
前記電気信号値が前記基準値より低ければ、前記ディスプレイパネルに印加される電流の量が減少するように前記駆動部を制御し、かつ前記駆動部及びディスプレイパネルに印加される電圧の強さが減少するように前記電源部を制御することを特徴とする請求項１記載の有機ＥＬディスプレイの駆動装置。
【請求項７】
前記ディスプレイパネルは、受動駆動型であることを特徴とする請求項６記載の有機ＥＬディスプレイの駆動装置。
【請求項８】
ディスプレイパネルを駆動するための駆動部及び電源部を有する有機ＥＬディスプレイの駆動方法であって、
外部環境の光の照度を感知して、その感知された光を電気信号に変換する段階と、
前記電気信号をアナログ信号からデジタル信号に変換する段階と、
前記デジタル信号に変換された電気信号値を、既に設定された基準値と比較する段階と、
前記比較結果に従って、前記駆動部及び電源部の少なくとも何れか一方を制御して、前記ディスプレイパネルに印加する電流の量を調節する段階と、
を含んでいることを特徴とする有機ＥＬディスプレイの駆動方法。
【請求項９】
前記電流の量を調節する段階において、
前記電気信号値が前記基準値より高ければ、前記駆動部を制御して前記ディスプレイパネルに印加される電流の量を増加させ、前記電気信号値が前記基準値より低ければ、前記駆動部を制御して前記ディスプレイパネルに印加される電流の量を減少させることを特徴とする請求項８記載の有機ＥＬディスプレイの駆動方法。
【請求項１０】
前記電流の量を調節する段階において、
前記電気信号値が前記基準値より高ければ、前記駆動部を制御して前記ディスプレイパネルに印加される電流の量を増加させ、かつ前記電源部を制御して前記駆動部及びディスプレイパネルに印加される電圧の強さを増加させ、
前記電気信号値が前記基準値より低ければ、前記駆動部を制御して前記ディスプレイパネルに印加される電流の量を減少させ、かつ前記電源部を制御して前記駆動部及びディスプレイパネルに印加される電圧の強さを減少させることを特徴とする請求項８記載の有機ＥＬディスプレイの駆動方法。
【発明の詳細な説明】
【技術分野】
【０００１】
本発明は発光素子(light emitting device)に関し、特に、有機ＥＬディスプレイの駆動装置、及び駆動方法に関する。
【背景技術】
【０００２】
一般に、発光素子とは、電気、またはその他のエネルギーが注入された時に、自ら光を発する素子であり、有機ＥＬ（organic  electroluminescence）、または有機発光ダイオード（organic light emitting diode）、無機発光ダイオード（inorganic light emitting diode）、無機ＥＬ（inorganic electroluminescence）、電界効果ディスプレイ（Field Effect Display：ＦＥＤ）、プラズマディスプレイパネル（Plasma Display Panel：ＰＤＰ）など多様な種類がある。
【０００３】
かかる発光素子は、その特性上、外部の照度が低いほど視認性が良くなり、逆に、光の強い屋外環境のように外部の照度が高い場合には視認性が悪くなる。
それゆえ、大部分の自体発光素子は、ディスプレイスクリーンの輝度を間歇的に変化させる多数個の調節スイッチを有しているか、或いはディスプレイスクリーンの輝度を次第に変化させる調節ノッブを有しており、外部環境の明るさが強い場合、ユーザーは調節スイッチや調節ノッブを使用してスクリーンの輝度を調整することができる。
【発明の開示】
【発明が解決しようとする課題】
【０００４】
しかしながら、以上で説明した従来技術による発光素子の駆動方法は、ユーザーが使用環境に応じてスクリーンの輝度を直接調節しなければならないので、不便であるばかりでなく、相当の時間が所要される。
また、現在の環境に最も理想的な輝度を肉眼で探し調節することには、その効果面に限界がある。
【０００５】
そこで、本発明は上記のような問題点を解決するために成されたもので、外部環境の多様な光の状態に応じて自動的にスクリーンの輝度が調節されるようにすることで、ユーザーの視覚に安定的、かつ視認性に優れ、電力消耗が低減するようにした有機ＥＬディスプレイの駆動装置、及び駆動方法を提供することにその目的がある。
【課題を解決するための手段】
【０００６】
上記目的を達成するために、本発明による有機ＥＬディスプレイの駆動装置は、外部環境の光の照度を感知して、その感知された光を電気的信号に変換する光電変換部と、光電変換部の電気信号をアナログ信号からデジタル信号に変換するＡ／Ｄ変換部と、デジタル信号に変換された電気信号値を、既に設定された基準値と比較する比較部と、比較結果に従って駆動部及び電源部の少なくとも何れか一方を制御する制御部と、制御部の制御信号に従ってディスプレイパネルに印加する電流の量を調節する駆動部と、制御部の制御信号に従って駆動部及びディスプレイパネルに印加する電圧の強さを調節する電源部とを含んでいることを特徴とする。
【０００７】
ここで、光電変換部は、光電管、フォトダイオード、フォトトランジスター、光伝導素子のうち何れかである。
【０００８】
そして、比較部で比較される基準値は、多様な電流値と電圧値を有する多数の基準値のうち何れかである。
【０００９】
また、制御部は、電気信号値が基準値より高ければ、ディスプレイパネルに印加される電流の量が増加するように駆動部を制御し、電気信号値が基準値より低ければ、ディスプレイパネルに印加される電流の量が減少するように駆動部を制御する。この際、ディスプレイパネルは能動駆動型である。
【００１０】
そして、制御部は、電気信号値が基準値より高ければ、ディスプレイパネルに印加される電流の量が増加するように駆動部を制御し、かつ駆動部及びディスプレイパネルに印加される電圧の強さが増加するように電源部を制御し、電気信号値が基準値より低ければ、ディスプレイパネルに印加される電流の量が減少するように駆動部を制御し、かつ駆動部及びディスプレイパネルに印加される電圧の強さが減少するように電源部を制御する。この際、ディスプレイパネルは受動駆動型である。
【００１１】
一方、本発明による有機ＥＬディスプレイの駆動方法は、外部環境の光の照度を感知して、その感知された光を電気的信号に変換する段階と、電気信号をアナログからデジタル信号に変換する段階と、デジタル信号に変換された電気信号値を、既に設定された基準値と比較する段階と、比較結果に従って、駆動部、電源部の少なくとも何れか一方を制御して、ディスプレイパネルに印加する電流の量を調節する段階とを含んでいることを特徴とする。
【００１２】
ここで、電流の量を調節する段階において、電気信号値が基準値より高ければ、駆動部を制御してディスプレイパネルに印加される電流の量を増加させ、電気信号値が基準値より低ければ、駆動部を制御してディスプレイパネルに印加される電流の量を減少させる。
【００１３】
そして、電流の量を調節する段階において、電気信号値が基準値より高ければ、駆動部を制御してディスプレイパネルに印加される電流の量を増加させ、かつ電源部を制御して駆動部及びディスプレイパネルに印加される電圧の強さを増加させ、電気信号値が基準値より低ければ、駆動部を制御してディスプレイパネルに印加される電流の量を減少させ、かつ電源部を制御して駆動部及びディスプレイパネルに印加される電圧の強さを減少させる。
【発明の効果】
【００１４】
本発明による有機ＥＬディスプレイの駆動装置、及び駆動方法には次のような効果がある。
第一、外部の照度が高い時にのみ素子の発光輝度を高めるので、電力消耗が少ない
第二、外部環境の変化に応じて輝度が自動的に調節され、ユーザーの視覚に安定的であるので、目の負担を減らせる。
【発明を実施するための最良の形態】
【００１５】
以下、本発明による有機ＥＬディスプレイの駆動装置、及び駆動方法の好ましい実施形態を添付の図面に基づいて詳細に説明する。
【００１６】
図１は本発明による有機ＥＬディスプレイの駆動装置を示すブロック構成図である。
図１に示すように、本発明は、光電変換部１、Ａ／Ｄ変換部２、比較部３、制御部４、駆動部５、電源部６、そして、ディスプレイパネル７で構成されている。ここで、光電変換部１は、外部環境の光の強度を感知して、その感知された光を電気的信号に変換する。
光電変換部１は、光電管、フォトダイオード、フォトトランジスター、光伝導素子のうち何れかである。
【００１７】
そして、Ａ／Ｄ変換部２は、光電変換部１の電気信号をアナログからデジタル信号に変換する。次いで、比較部３は、デジタル信号に変換された電気信号値を、既に設定された基準値と比較する。比較部３で比較される基準値は、多様な電流値と電圧値を有する多数の基準値のうち何れかである。ここで、基準値は、設計によって多様に設定され得る。
【００１８】
例えば、第１基準値は、ディスプレイパネルが室内、或いは夜間の室外の場合に使用される第１モードか、明るい室内、或いは雨の降る室外の場合に使用される第２モードとすることができる。また、第２基準値は、曇りや陰った室外の場合に使用される第３モードか、光の照度が高くなるにつれて使用される第４モードとすることができる。
【００１９】
ここで、本発明は、室内外、または昼夜間を区別できないので、外部の照度のみを測定して、設定された基準値と比較し、各モードのうち何れかを選択して駆動部５、及び電源部６を制御できる。この際、システム自体に内蔵された時計や、外部から入力される信号で視覚を認識できるように設計する場合には昼夜間の区別が可能であり、視覚による制御までも並行して可能である。
勿論、このようなモードの区分は一例に過ぎず、応用するところによって多様なモードの分類が可能であろう。
【００２０】
また、各モードにおいてディスプレイパネルは、電源が印加される限り常に発光するか、場合によって必要な場合にのみ発光する。例えば、第１、第２モードの場合は常にパネルが発光するようにし、第３、第４モードの場合には画面を見る時にのみ一定時間の間パネルが発光するようにする。これにより、無駄に電力を消耗することなく適切な視認性を維持することができる。
このような機能を携帯電話などの携帯型電子製品に適用すればさらに効果的である。
【００２１】
制御部４は、比較結果に従って駆動部５、電源部６のうち少なくとも何れか一方を制御する。ここで、制御部４は、電気信号値が既に設定された基準値より高ければ、ディスプレイパネル７に印加される電流の量が増加するように駆動部５を制御して、ディスプレイパネル７の輝度を高めるし、電気信号値が既に設定された基準値より低ければ、ディスプレイパネル７に印加される電流の量が減少するように駆動部５を制御して、ディスプレイパネル７の輝度を低める。この場合、ディスプレイパネル７は能動駆動型である。
【００２２】
そして、制御部４は、電気信号値が既に設定された基準値より高ければ、ディスプレイパネル７に印加される電流の量が増加するように駆動部５を制御し、駆動部５及びディスプレイパネル７に印加される電圧が高くなるように電源部６を同時に制御して、ディスプレイパネル７の輝度を高める。
【００２３】
また、電気信号値が既に設定された基準値より低ければ、ディスプレイパネル７に印加される電流の量が減少するように駆動部５を制御し、駆動部５及びディスプレイパネル７に印加される電圧の強さが減少するように電源部６を制御して、ディスプレイパネル７の輝度を低めることもできる。この際のディスプレイパネルは受動駆動型である。
【００２４】
駆動部５は、制御部４の制御信号に従ってディスプレイパネル７に印加する電流の量を調節して、ディスプレイパネル７の輝度を調節し、電源部６は、制御部４の制御信号に従って駆動部５及びディスプレイパネル７に印加する電圧の強さを調節して、ディスプレイパネル７の輝度を調節する。
【００２５】
このように構成された本発明の駆動方法は次の通りである。
【００２６】
図２は本発明による有機ＥＬディスプレイの駆動方法を示す流れ図である。図２に示すように、まず、光電変換部１は外部環境の光の照度を感知して、その感知された光を電気的信号に変換する（Ｓ１００）。次いで、Ａ／Ｄ変換部２は、電気信号をアナログ信号からデジタル信号に変換する（Ｓ１０１）。
【００２７】
そして、比較部３は、電気信号値を既に設定された第１基準値と比較する（Ｓ１０２）。例えば、設定された第１基準値が上記で例示した第２モードと第３モードの中間値である場合、電気信号値が第１基準値より小さければ、第１、第２モードを選択し、電気信号値が第１基準値より大きければ、第３、第４モードを選択する。
【００２８】
次いで、比較結果に従って、現在選択されたモードが使用中であるかを判断する（Ｓ１０３、Ｓ１０４）。その判断結果、もし、選択された第１、第２モードが現在未使用中であれば（Ｓ１０３）、電力消耗の最も少ない第１モードが選択され、それに相応するように駆動部５及び電源部６を制御して、ディスプレイパネル７の輝度を調節する（Ｓ１０７）。
そして、第１、第２モードが現在使用中であれば、第２モードが選択され、それに相応するように駆動部５及び電源部６を制御して、ディスプレイパネル７の輝度を調節する（Ｓ１０６）。
【００２９】
一方、選択された第３、第４モードが現在未使用中であれば（Ｓ１０４）、電力消耗の最も少ない第１モードが選択され、それに相応するように駆動部５及び電源部６を制御して、ディスプレイパネル７の輝度を調節する（Ｓ１０７）。
もし、第３、第４モードが現在使用中であれば（Ｓ１０４）、電気信号値を既に設定された第２基準値と比較する（Ｓ１０５）。その比較結果、電気信号値が第２基準値より小さければ、第３モードが選択され、それに相応するように駆動部５及び電源部６を制御して、ディスプレイパネル７の輝度を調節する（Ｓ１０８）。
【００３０】
そして、電気信号値が第２基準値より大きければ、第４モードが選択され、それに相応するように駆動部５及び電源部６を制御して、ディスプレイパネル７の輝度を調節する（Ｓ１０９）。
このように外光の強度に従い、それに相応する適切な駆動モードを選択し、有機ＥＬディスプレイパネルの輝度を調節するので、素子の電力消耗をかなり減らすことができ、視認性が良くなる。これを携帯電話に適用する場合、携帯電話の未使用時には第１モードに自動選択され、かなり低輝度でパネルが発光する。これは、未使用時には基本データ（時間、日付など）だけ見れば、別に問題はないからである。
【００３１】
室内で携帯電話を使用する場合は、第２モードに自動選択され、第１モードより明るい輝度でパネルが発光する。もし、曇りや、陰った室外で携帯電話を使用すると、第３モードに自動選択され、第２モードよりさらに明るい輝度でパネルが発光する。この場合にも外部が多少暗いので、低輝度でも充分に表示画面を確認することができ、全く差し支えない。
【００３２】
また、晴れの場合には、光の照度が強いので、第４モードを自動的に選択して第３モードの時よりさらに明るい輝度でパネルが発光する。これにより、外部の照度が非常に高い時にディスプレイパネルの視認性が悪くなることを補完し、かえってユーザーが使用しやすくなる。また、外部環境に従ってパネルの輝度を適切に調節可能であり、ユーザーの視覚に安定的であるばかりでなく、電力消耗が少ないので、携帯電話のバッテリ寿命が長くなるという長所がある。
【００３３】
勿論、上記実施形態で説明した駆動モードを外部の環境に応じてさらに細分化することで、より優れた効果を期待できる。
【図面の簡単な説明】
【００３４】
【図１】図１は、本発明による有機ＥＬディスプレイの駆動装置を示すブロック構成図である。
【図２】図２は、本発明による有機ＥＬディスプレイの駆動方法を示す流れ図である。
【符号の説明】
【００３５】
１：光電変換部  ２：Ａ／Ｄ変換部  ３：比較部  ４：制御部  ５：駆動部
６：電源部  ７：ディスプレイパネル
【図１】
2004226977.tif 000003
【図２】
2004226977.tif 000004